(57)【要約】【課題】  コード短絡のみを検出するコード短絡検出回路を備えた回路遮断器を提供する。【解決手段】  コンセント４の一方の電路電圧を検出するセンサ配線９と、センサ配線９の検出電圧から電圧降下量のピーク値を検出するピーク値検出回路２０と、検出したピーク値を平均する平均値回路２１と、平均したピーク値が所定の値を下回ったらコード短絡発生と判断する判定回路２２とを備え、判定回路２２がコード短絡検出信号を出力したら、トリップコイル１２をトリップ動作させて電路を遮断させ、表示部１６にコード短絡による遮断であるとを表示させる。【選択図】  図１
2011171244.tif 000002
【特許請求の範囲】
【請求項１】
コンセントに至る電線が負荷側端子に接続され、過電流等の異常電流が前記電線に流れたら電路を遮断する回路遮断器であって、
前記コンセント或いはコンセント近傍の一方の電路の電圧を検出するセンサ手段と、前記電路の電圧降下量を基にコード短絡を検出するコード短絡検出回路とを有し、
前記コード短絡検出回路は、前記センサ手段の検出電圧から電圧降下量のピーク値を検出するピーク値検出回路と、検出したピーク値を平均する平均値回路と、平均したピーク値が所定の値を下回ったらコード短絡発生を判断する判定回路とを有し、
前記コード短絡検出回路がコード短絡を検出したら、前記電路を遮断することを特徴とする回路遮断器。
【請求項２】
コード短絡発生を表示する表示手段を有し、前記判定回路の出力信号は、遮断手段を動作させるための出力回路を駆動すると共に、前記表示手段を表示動作させることを特徴とする請求項１記載の回路遮断器。
【発明の詳細な説明】
【技術分野】
【０００１】
本発明は、コード短絡を検出する機能を備えた回路遮断器に関する。
【背景技術】
【０００２】
従来よりコード短絡を検出したら電路を遮断する機器がある。例えば特許文献１では、絶対値回路と比較回路を備えたコード短絡検出回路と遮断回路とをコンセント内に設けて、コード短絡を検出したらコンセント内で電路を遮断するコンセントが開示されている。
【先行技術文献】
【特許文献】
【０００３】
【特許文献１】特開２００４−３２７１８０号公報
【発明の概要】
【発明が解決しようとする課題】
【０００４】
しかしながら、上記コード短絡検出回路は電路に抵抗体を介在させてその電圧降下の大きさから、即ち電路を流れる電流の大きさからコード短絡を判定するため、コード短絡特有のヒゲ状の短絡電流を検出するだけでなく過負荷状態にも反応して遮断動作することがあった。そのため、遮断原因がコード短絡か過電流に因るものなのか特定できなかった。
そこで、本発明はこのような問題点に鑑み、コード短絡のみを検出するコード短絡検出回路を備えた回路遮断器を提供することを目的としている。
【課題を解決するための手段】
【０００５】
上記課題を解決する為に、請求項１の発明は、コンセントに至る電線が負荷側端子に接続され、過電流等の異常電流が前記電線に流れたら電路を遮断する回路遮断器であって、前記コンセント或いはコンセント近傍の一方の電路の電圧を検出するセンサ手段と、前記電路の電圧降下量を基にコード短絡を検出するコード短絡検出回路とを有し、前記コード短絡検出回路は、前記センサ手段の検出電圧から電圧降下量のピーク値を検出するピーク値検出回路と、検出したピーク値を平均する平均値回路と、平均したピーク値が所定の値を下回ったらコード短絡発生を判断する判定回路とを有し、前記コード短絡検出回路がコード短絡を検出したら、前記電路を遮断することを特徴とする。
コード短絡は、コンセントに接続された負荷に至る電線内で発生し、コンセントから先で発生する。そのため、このような構成とすることで、コード短絡が発生する場所に近いコンセントの電圧を検出することで、精度の高いコード短絡情報を入手できる。そして、ピーク値検出回路が電路電圧のヒゲ状の電圧降下（ピーク値）を監視し、検出したピーク値を平均してコード短絡を判断するので、過電流通電時のような定常的な大電流に対しては反応せず、コード短絡を検出した場合に遮断するよう動作させることができ、遮断動作した場合の原因を判別し易い。
【０００６】
請求項２の発明は、請求項１に記載の構成において、コード短絡発生を表示する表示手段を有し、前記判定回路の出力信号は、遮断手段を動作させるための出力回路を駆動すると共に、前記表示手段を表示動作させることを特徴とする。
この構成によれば、遮断原因がコード短絡である場合は表示するので、原因を特定し易い。
【発明の効果】
【０００７】
本発明によれば、コード短絡が発生する場所に近いコンセントの電圧を検出することで、精度の高いコード短絡情報を入手できる。そして、ピーク値検出回路が電路電圧の瞬時のヒゲ状の電圧降下（ピーク値）を監視し、検出したピーク値を平均してコード短絡を判断するので、過電流通電時のような定常的な大電流に対しては反応せず、コード短絡を検出した場合に遮断するよう動作させることができ、遮断動作した場合の原因を判別し易い。
【図面の簡単な説明】
【０００８】
【図１】本発明に係る回路遮断器の実施形態の一例を示す回路図である。
【発明を実施するための形態】
【０００９】
以下、本発明を具体化した実施の形態を、図面に基づいて詳細に説明する。図１は本発明に係る回路遮断器の一例を示す回路図であり、コード短絡検出回路を中心に示し、回路遮断器本来の機能である過電流検出回路、短絡電流検出回路等は省略してある。図１において、１は回路遮断器、２は電源側電路、３は負荷側電路、４はコンセント、５は負荷、６はコンセント４から負荷５に至る電線（コード）である。また、Ｓはコード短絡発生場所を示している。
【００１０】
負荷側電路３はコンセント４に接続され、この負荷側電路３とは別にコンセント４での電路電圧を検出するための１本のセンサ配線９が、負荷側電路３に平行して回路遮断器１から延びている。結果として、回路遮断器１からコンセント４に至る配線は３本の電線で構成されている。
【００１１】
回路遮断器１は、電路をオン／オフするための接点部１１、接点部１１を開操作するトリップコイル１２、トリップコイル１２をトリップ動作させる出力回路１３、回路遮断器１内部の回路に電源を供給する電源回路１４、コード短絡発生を検出するコード短絡検出回路１５、コード短絡発生を表示する表示部１６等を備えている。
【００１２】
コード短絡検出回路１５は、ピーク値検出回路２０、平均値回路２１、判定回路２２を備え、ピーク値検出回路２０は、センサ配線９によりコンセント４での一方の電路の電圧情報を入手し、その変動する電圧波形からコード短絡により発生するヒゲ状の電圧降下を監視し、そのピーク値を検出する。
平均値回路２１は、ピーク値検出回路２０が出力するピーク値情報を基に、その発生頻度を加味した平均値を演算して出力する。
判定回路２２は、平均値回路が出力した電圧値を閾値と比較して、閾値を下回ったらコード短絡発生と判断して、コード短絡発生信号を出力する。
【００１３】
表示部１６は、判定回路２２の判定を受けて、トリップコイル１２の動作と同様に機械的な動作により表示動作するよう構成され、トリップ動作して電路が遮断されて電源の供給がストップしても表示状態を維持するよう構成されている。
【００１４】
こうしてコード短絡発生信号の出力を受けて、回路遮断器は次のように動作する。判定回路２２がコード短絡発生信号を出力すると、出力回路１３が起動してトリップコイル１２にトリップ電流が流れてトリップ動作する。その結果、接点部１１が開動作して電路は遮断される。
一方、コード短絡発生信号を受けて表示部１６は、表示動作し、コード短絡により電路が遮断されたことを表示する。
【００１５】
例えば、２０アンペア定格の電路において、コード短絡が発生してヒゲ状の電圧降下が発生したとする。このようなコード短絡が発生すると、負荷側電路３内の電線導体抵抗により、瞬間にコンセント４の電路電圧が瞬間的に例えば５０ボルトと大きく低下する。尚、コード短絡発生点では電路電圧は瞬間的に０ボルト近くまで低下する。
センサ配線９がコンセント４付近のこの電圧変動を検出し、コード短絡検出回路１５によりコード短絡が判断される。
但し、接続される負荷によっては、コード短絡により発生する電流より大きい例えば３００アンペアの突入電流が発生する場合があるが、コード短絡とはコンセント付近での電圧変動が異なりヒゲ状の電圧降下は発生しないため、このような突入電流に対してはピーク検出回路２０は反応しない。
【００１６】
このように、コード短絡が発生する場所に近いコンセント４の電圧を検出することで、精度の高いコード短絡情報を入手できる。そして、ピーク値検出回路２０が電路電圧のヒゲ状の電圧降下（ピーク値）を監視し、検出したピーク値を平均してコード短絡を判断するので、過電流通電時のような定常的な大電流に対しては反応せず、コード短絡を検出した場合に遮断するよう動作させることができる。
そして、遮断原因がコード短絡である場合は表示部１６で表示されるので、原因を特定し易い。
【００１７】
尚、上記実施形態では、コンセント４に接続した負荷側電路３の先端にセンサ配線９を接続して電圧情報を入手しているが、コンセント４の近傍であれば良く、負荷側電路の途中から電圧情報を入手しても良い。
【符号の説明】
【００１８】
１・・回路遮断器、２・・電源側電路、３・・負荷側電路、４・・コンセント、５・・負荷、６・・電線（コード）、９・・センサ配線（センサ手段）、１１・・接点部、１２・・トリップコイル、１３・・出力回路、１４・・電源回路、１５・・コード短絡検出回路、１６・・表示部（表示手段）、２０・・ピーク値検出回路、２１・・平均値回路、２２・・判定回路。
【図１】
2011171244.tif 000003